(57)【特許請求の範囲】
【請求項１】
三重同軸コネクタの主要構成パーツがＬ形外部シェルと、  Ｌ形内部シェル内にＬ形中心コンタクトが絶縁物を介して固装されてなるＬ形メインパーツと、                                                          内部シェル内の中心軸方向に相手コネクタと嵌合接触する中心コンタクトが絶縁物を介して固装されてなる２種類のカップリングパーツに分割構成され、      先ず、前記Ｌ形メインパーツに、前記カップリングパーツの一方がその互いの中心コンタクトの接触をもち同軸状に嵌合されて組立体が形成されるとともに、該組立体が前記Ｌ形外部シェルの一方の開口部から挿入され、かつ該組立体とＬ形外部シェルとの間に挿入の絶縁物を介して組立体が定位置に固装され、        次いで、前記Ｌ形外部シェルの他方の開口部から前記カップリングパーツの他方が挿入されて、その中心コンタクトと前記Ｌ形メインパーツにおけるＬ形中心コンタクトとの接触をもって同軸状に嵌合され、かつ該カップリングパーツとＬ形外部シェルとの間に挿入の絶縁物を介して該カップリングパーツが固装され、以って三重同軸のＬ形状に組み立てられる構成を特徴とする三重同軸コネクタの組立方法。
【請求項２】
三重同軸コネクタの主要構成パーツがＴ形外部シェルと、  Ｔ形内部シェル内に、三軸方向に端子を有するＴ形中心コンタクトが絶縁物を介して固装されてなるメインパーツと、                                      内部シェル内の中心軸方向に相手コネクタと嵌合接触する中心コンタクトが絶縁物を介して固装されてなる２種類のカップリングパーツに分割構成され、      先ず、前記メインパーツにおける水平二軸方向の端子に、前記カップリングパーツがその互いの中心コンタクトの接触をもち同軸状に嵌合されて組立体が形成されるとともに、該組立体が前記Ｔ形外部シェルの水平方向の一方開口部から挿入され、かつ該組立体とＴ形外部シェルとの間に挿入の絶縁物を介して組立体がＴ形外部シェル内の中心位置に固装され、                                    次いで、Ｔ形外部シェルの垂直方向の開口部から前記カップリングパーツが挿入されて、その中心コンタクトと前記組立体におけるＴ形中心コンタクト端子との接触をもって同軸状に嵌合され、かつ前記カップリングパーツとＴ形外部シェルとの間に挿入の絶縁物を介して該カップリングパーツが固装され、以って三重同軸のＴ形状に組み立てられる構成を特徴とする三重同軸コネクタの組立方法。
【発明の詳細な説明】
【０００１】
【発明の属する技術分野】
本発明は、三重同軸コネクタの組立方法に関し、更に詳しくは、外部シェルと各絶縁物を介しての内部シェルおよび中心コンタクトを有する三重同軸構造にして、かつ略Ｌ形および略Ｔ形コネクタの組立方法に関するものである。
【０００２】
【発明が解決しようとする課題】
周知のように、高周波同軸コネクタは、一般には中心導体と外部導体の電気的導通部分を有しているが、通信システム、放送機器および計測機器等に用いられるこれらのコネクタは外部ノイズ、不要輻射、クロストーク等の電波障害を除くことが要求される。そこで、これらの障害を除くため、中心導体と外部導体間にもう一層の内部導体を有する三重同軸コネクタが開発されているが、該三重同軸コネクタは、一般の高周波同軸コネクタと外形寸法は同じであり、かつ内容が複雑であるため、Ｌ形およびＴ形コネクタの製作は不可能であった。
【０００３】
本発明は、このような現況に鑑みなされたもので、その目的とするところは、完全なシールディングと安定した絶縁性能を有する三重同軸Ｌ形およびＴ形コネクタを容易に製作し得る組立方法を提供することにある。
【０００４】
【課題を解決するための手段】
この目的のため、本発明は、三重同軸コネクタの主要構成パーツがＬ形外部シェルと、Ｌ形内部シェル内にＬ形中心コンタクトが絶縁物を介して固装されてなるＬ形メインパーツと、内部シェル内の中心軸方向に相手コネクタと嵌合接触する中心コンタクトが絶縁物を介して固装されてなる２種類のカップリングパーツに分割構成され、先ず、前記Ｌ形メインパーツに、前記カップリングパーツの一方がその互いの中心コンタクトの接触をもち同軸状に嵌合されて組立体が形成されるとともに、該組立体が前記Ｌ形外部シェルの一方の開口部から挿入され、かつ該組立体とＬ形外部シェルとの間に挿入の絶縁物を介して組立体が定位置に固装され、次いで、前記Ｌ形外部シェルの他方の開口部から前記カップリングパーツの他方が挿入されて、その中心コンタクトと前記Ｌ形メインパーツにおけるＬ形中心コンタクトとの接触をもって同軸状に嵌合され、かつ該カップリングパーツとＬ形外部シェルとの間に挿入の絶縁物を介して該カップリングパーツが固装され、以って三重同軸のＬ形状に組み立てられる構成を特徴とするものであり、また、本発明は、三重同軸コネクタの主要構成パーツがＴ形外部シェルと、Ｔ形内部シェル内に、三軸方向に端子を有するＴ形中心コンタクトが絶縁物を介して固装されてなるメインパーツと、内部シェル内の中心軸方向に相手コネクタと嵌合接触する中心コンタクトが絶縁物を介して固装されてなる２種類のカップリングパーツに分割構成され、先ず、前記メインパーツにおける水平二軸方向の端子に、前記カップリングパーツがその互いの中心コンタクトの接触をもち同軸状に嵌合されて組立体が形成されるとともに、該組立体が前記Ｔ形外部シェルの水平方向の一方開口部から挿入され、かつ該組立体とＴ形外部シェルとの間に挿入の絶縁物を介して組立体がＴ形外部シェル内の中心位置に固装され、次いで、Ｔ形外部シェルの垂直方向の開口部から前記カップリングパーツが挿入されて、その中心コンタクトと前記組立体におけるＴ形中心コンタクト端子との接触をもって同軸状に嵌合され、かつ前記カップリングパーツとＴ形外部シェルとの間に挿入の絶縁物を介して該カップリングパーツが固装され、以って三重同軸のＴ形状に組み立てられる構成を特徴とするものである。
【０００５】
【発明の実施の形態】
本発明の実施の形態について図面を参照して説明する。先ず、三重同軸Ｌ形コネクタの組立方法につき、図１から図９を参照して説明すると、これら図において、三重同軸Ｌ形コネクタの主要パーツはＬ形外部シェル、Ｌ形メインパーツおよび２種類のカップリングパーツから構成され、これらパーツが後述の手順により組み立てられる。そこで、組立手順の説明に先立ち、これら主要パーツの構成について説明する。Ｌ形外部シェル１は、図１に示されているように、円筒状分割シェル２、３のロー付けによりＬ形円筒状に形成され、一方の分割シェル３の先端部分には、複数の軸方向割溝を介して円筒形手指状片４が設けられるとともに、外周には環状つば部５と係止段部６が設けられている。Ｌ形メインパーツ１０は、図２に示されているように、Ｌ形円筒状内部シェル１１と、二軸方向に端子１３、１４が突設されたＬ形中心コンタクト１２と、該中心コンタクト１２を内部シェル１１内の中心位置に固装している絶縁物１５とを含み、絶縁物１５における端子１３、１４方向の端面には、凹陥部１６、１７が設けられている。カップリングパーツは２種類であって、一方（ジャック側）のカップリングパーツ２０は、図３に示されているように、円筒状内部シェル、中心コンタクト、絶縁物を含み、円筒状内部シェル２１は、その一端部分に複数の軸方向割溝を介して円筒形手指状片２２を有するとともに、外周には係止段部２３を有し、更に内周には係止段部２４、２５を有している。中心コンタクト２６はその両端に相手雄コンタクト嵌合部２７、２８を有している。絶縁物２９は中心貫通孔３０と該貫通孔３０の一端部にやや大径の凹陥部３１、他端部内周にコンタクト嵌合部２８の端面係止段部３２、外周にシェル内周係止段部２５と係合する係止段部３３を有し、また、絶縁物３４は、中心貫通孔３５、絶縁物２９の凹陥部３１に嵌り込む嵌合凸部３６、シェル内周係止段部２４と係合する係止段部３７、メインパーツ１０の絶縁物凹陥部１６（または１７）に嵌り込む嵌合凸部３８を有している。そして、手指状片側開口部より絶縁物２９がその段部３３をシェル内周段部２５に係止せしめて圧入固装されるとともに、該絶縁物２９の中心貫通孔３０には、中心コンタクト２６がそのコンタクト嵌合部２８側より挿入され、次いで、絶縁物３４がその嵌合凸部３６を絶縁物凹陥部３１に嵌合せしめ、かつその段部３７をシェル内周段部２４に係止せしめて圧入固装され、これら絶縁物２９、３４により中心コンタクト２６は、軸方向への抜け止めと、周方向への回転が防止されて内部シェル２１内の中心軸方向に固装されている。また、他方（プラグ側）のカップリングパーツ４０は、図４に示されているように、円筒状内部シェル、中心コンタクト、絶縁物を含み、円筒状内部シェル４１はその軸方向両端部に複数の軸方向割溝を介して円筒形手指状片４２、４３を有するとともに、外周には係止段部４４を有し、更に内周には二つの係止段部４５、４６を有している。中心コンタクト４７はその一端に相手雌コンタクト嵌合部４８を有するとともに、他端には相手雄コンタクト嵌合部４９を有している。絶縁物５０は中心貫通孔５１と該貫通孔５１の一端部に凹陥部５２を有し、外周にはシェル内周係止段部４５と係合する係止段部５３を有し、また、絶縁物５４は貫通孔５１と連通する貫通孔５５、凹陥部５２に嵌入される嵌合凸部５６を有するとともに、外周一端部にはシェル内周係止段部４６と係合する係止段部５７を有し、更に外周他端部には嵌合凸部５８を有している。そして、手指状片４３を有する開口側より絶縁物５０がその段部５３をシェル内周段部４５に係止せしめて圧入固装されるとともに、該絶縁物５０の中心貫通孔５１には、中心コンタクト４７がその雌コンタクト嵌合部４８側より挿入され、次いで、絶縁物５４がその嵌合凸部５６を絶縁物凹陥部５２に嵌合せしめ、かつその段部５３をシェル内周段部４６に係止せしめて圧入固装され、これら絶縁物５０、５４により中心コンタクト４７は、軸方向への抜け止めと、周方向への回転が防止されて内部シェル４１内の中心軸方向に固装されている。
【０００６】
次に、上記構成に係るパーツをもって三重同軸Ｌ形コネクタを組み立てる方法について説明する。先ず、図５に示されているように、Ｌ形メインパーツ１０に一方のカップリングパーツ２０が組み付けられて組立体６０が形成される。更に説明すると、Ｌ形中心コンタクト１２の端子１４と中心コンタクト２６のコンタクト嵌合部２７との嵌合による接触と同時に、凹陥部１７と嵌合凸部３８との嵌合をもって同軸状に組み付けられて組立体６０とされる。次いで、図６および図７に示されているように、組立体６０が、そのＬ形メインパーツ１０側を頭としてＬ形外部シェル１の一方（水平方向）の開口部から挿入され、かつ該組立体６０とＬ形外部シェル１との空隙部には絶縁物６１が挿入されてＬ形メインパーツ１０の部分がＬ形外部シェル１内の中心位置に定置固装されるとともに、更に空隙部には絶縁物６２がその先端面を絶縁物６１の後端面に当接せしめ、かつ組立体６０におけるカップリングパーツ２０の外周係止段部２３に係止せしめて挿入され、更に絶縁物６２の後端段部にはブッシュ６３が圧入されて組み付けられる。次いで、図８および図９に示されているように、Ｌ形外部シェル１の他方（垂直方向）の開口部から他方のカップリングパーツ４０が、その中心コンタクト嵌合部４９を下向きとして挿入され、Ｌ形メインパーツ１０におけるＬ形中心コンタクト１２の端子１３との嵌合接触をもって同軸状に組み付けられ、かつカップリングパーツ４０とＬ形外部シェル１との空隙部に二重同心状に挿入の絶縁物６４、６５を介して固装されるとともに、絶縁物６５の上端には絶縁物６６が同心状にして、かつ端面をカップリングパーツ４０における内部シェル４１の外周係止段部４４に係止せしめて挿入され、更にＬ形外部シェル１の突き出しによって固装される。次いで、Ｌ形外部シェル１における分割シェル３側外周にガスケット６８、スプリングワッシャ６９等を介して接続リング６７が組み付けられて三重同軸Ｌ形コネクタの組立ては完了する。
【０００７】
次に、三重同軸Ｔ形コネクタの組立方法につき、図１０から図１５を参照して説明すると、これら図において、三重同軸Ｔ形コネクタの主要パーツはＴ形外部シェル、メインパーツおよび２種類のカップリングパーツから構成され、これらパーツが後述の手順によって組み立てられる。そこで、前記同様に、先ず、主要パーツの構成について説明する。Ｔ形外部シェル７０は、図１０に示されているように、円筒状の長短分割シェル７１、７２のロー付けによりＴ形円筒状に形成されている。メインパーツ８０は、図１１に示されているように、長短二つの分割シェル８２、８３のロー付けにより形成のＴ形円筒状内部シェル８１と、三軸方向に端子８５、８６、８７が突設されたＴ形中心コンタクト８４と、該中心コンタクト８４をＴ形内部シェル８１内の中心位置に固装している一対の絶縁物８８、８９とを含み、一対の絶縁物８８、８９の端子８５、８６方向の端面には凹陥部９０、９１が設けられている。２種類のカップリングパーツ２０、４０は、図３と図４に示されており、その構成は前述のとおりである。
【０００８】
次に、上記構成に係るパーツをもって三重同軸Ｔ形コネクタを組み立てる方法について説明する。先ず、図１２に示されているように、メインパーツ８０におけるＴ形中心コンタクト８４の端子８５側にカップリングパーツ２０がそのコンタクト嵌合部２７との嵌合による接触と同時に、凹陥部９０と絶縁物３４の嵌合凸部３８との挿入嵌合をもって同軸状に組み付けられるとともに、端子８６側には、カップリングパーツ４０がそのコンタクト嵌合部４９との嵌合による接触と同時に、凹陥部９１と絶縁物５４の嵌合凸部５８との挿入嵌合をもって同軸状に組み付けられて組立体１００とされる。次いで、図１３に示されているように、組立体１００が、Ｔ形外部シェル７０の水平軸方向における一方の開口部から挿入されて、該組立体１００とＴ形外部シェル７０との空隙部には、その中央部分に絶縁物１０１が挿入されるとともに、組み付けカップリングパーツ２０側には、絶縁物１０２がその挿入側端面を絶縁物１０１の端面に当接せしめ、かつ組み付けカップリングパーツ２０の外周係止段部２３に係止せしめて挿入固装され、更に組み付けカップリングパーツ４０側には、絶縁物１０３が、その挿入側端面を絶縁物１０１の端面に当接せしめ、かつ組み付けカップリングパーツ４０の外周係止段部４４に係止せしめて挿入固装され、更に絶縁物１０２の後端段部にはブッシュ１０４が圧入され、これら絶縁物１０１、１０２、１０３により組立体１００はＴ形外部シェル７０の中心位置に固装される。次いで、図１４に示されているように、Ｔ形外部シェル７０の垂直側開口部から２連のカップリングパーツ４０が、そのコンタクト嵌合部４９を下向きとして挿入され、組立体１００におけるコンタクト端子８７との嵌合接触をもって同軸状に組み付けられ、かつ、これらカップリングパーツ４０とＴ形外部シェル７０との空隙部に挿入の絶縁物１０５、１０６を介して固装される。次いで、図１５に示されているように、Ｔ形外部シェル７０におけるカップリングパーツ４０側には、それぞれガスケット６８、スプリングワッシャ６９等を介して接続リング６７が組み付けられて三重同軸Ｔ形コネクタの組立は完了する。
【０００９】
なお、前記図示の三重同軸Ｔ形コネクタは、メインパーツ８０にジャック側のカップリングパーツ２０とプラグ側のカップリングパーツ４０が組み付けられて組立体１００とされ、これがＴ形外部シェル７０内の中心位置に絶縁物１０１、１０２、１０３を介して固装され、Ｔ形外部シェル７０の垂直側開口部から２連のプラグ側カップリングパーツ４０が挿入組み付けられ、かつ絶縁物１０５、１０６を介して固装された場合であるが、メインパーツ８０に種々のカップリングパーツ２０、４０を嵌合組み付けさせることで、三重同軸コネクタのインターフェースを変えることが可能である。即ち、特に図示しないが、図１５に示されている組立体１００を形成しているメインパーツ８０に組み付けの２軸のカップリングパーツ２０、４０をジャック側のカップリングパーツ２０としてもよく、また、３軸全てのカップリングパーツをジャック側のカップリングパーツ２０としてもよい。
【００１０】
【発明の効果】
しかして、本発明によれば、三重同軸コネクタの主要構成パーツが外部シェル（Ｌ形、Ｔ形）とメインパーツおよび２種類（ジャック側とプラグ側）のカップリングパーツに分割構成され、かつメインパーツは最小限の大きさに抑えられ、該メインパーツにカップリングパーツが嵌合組み付けられて組立体とされ、該組立体が外部シェル内に絶縁物を介して固装されるものであるから、外部シェルの各軸開口部との連結が可能となり、従来製作が不可能であった三重同軸Ｌ形およびＴ形コネクタの製作が可能となった。
【００１１】
また、本発明によれば、いかなる三重構造の同軸コネクタにも応用が可能であり、また、三重構造以外、通常の同軸や三重構造よりも更に多重軸の同軸コネクタにも応用が可能であるばかりか、コネクタ形状も、アダプタ、ケーブル用プラグ、ジャックおよびレセプタクルタイプへの拡大も可能である。換言すれば、本発明は、伝送を目的とする同軸伝送線路に全て適用することが可能なのである。
【図面の簡単な説明】
【図１】Ｌ形外部シェルの断面図である。
【図２】Ｌ形メインパーツの断面図である。
【図３】カップリングパーツ（ジャック側）の断面図である。
【図４】カップリングパーツ（プラグ側）の断面図である。
【図５】組立体の断面図である。
【図６】Ｌ形外部シェル内への組立体の挿入状態を示す断面的説明図である。
【図７】Ｌ形外部シェル内への組立体の組み付け固装状態を示す断面図である。
【図８】Ｌ形外部シェル内へのカップリングパーツの挿入状態を示す断面的説明図である。
【図９】三重同軸Ｌ形コネクタの組立完了状態を示す断面図である。
【図１０】Ｔ形外部シェルの断面図である。
【図１１】メインパーツの断面図である。
【図１２】組立体の断面図である。
【図１３】Ｔ形外部シェル内への組立体の組み付け固装状態を示す断面図である。
【図１４】Ｔ形外部シェル内へのカップリングパーツの組み付け固装状態を示す断面図である。
【図１５】三重同軸Ｔ形コネクタの組立完了状態を示す断面図である。
【符号の説明】
１  Ｌ形外部シェル
１０  Ｌ形メインパーツ
１１  Ｌ形内部シェル
１２  中心コンタクト
１５  絶縁物
２０  カップリングパーツ（ジャック側）
２１  内部シェル
２６  中心コンタクト
２９、３４  絶縁物
４０  カップリングパーツ（プラグ側）
４１  内部シェル
４７  中心コンタクト
５０、５４  絶縁物
６０  組立体
７０  Ｔ形外部シェル
８０  メインパーツ
８１  Ｔ形内部シェル
８４  Ｔ形中心コンタクト
８５、８６、８７  端子
８８、８９  絶縁物
１００  組立体
１０１、１０２、１０３、１０５、１０６  絶縁物
【図１】
0003569579.tif 000002
【図２】
0003569579.tif 000003
【図３】
0003569579.tif 000004
【図４】
0003569579.tif 000005
【図５】
0003569579.tif 000006
【図６】
0003569579.tif 000007
【図７】
0003569579.tif 000008
【図８】
0003569579.tif 000009
【図９】
0003569579.tif 000010
【図１０】
0003569579.tif 000011
【図１１】
0003569579.tif 000012
【図１２】
0003569579.tif 000013
【図１３】
0003569579.tif 000014
【図１４】
0003569579.tif 000015
【図１５】
0003569579.tif 000016